(57)【特許請求の範囲】
【請求項１】
エレベータの出入口を開閉するため、その開放面に沿ってスライド可能に設けられたドアパネルと、
このドアパネルの下辺部から下方に突出する金属支持片の下部に、前記ドアパネルの厚さ方向に沿う寸法が前記金属支持片より大きな樹脂性のシュー部分を一体的に形成したガイドシューと、
前記出入口の敷居部分に設けられ、内部に前記ガイドシューのシュー部分がスライド可能に係合し、前記ドアパネルの開閉動作に伴って、その開閉方向に前記シュー部分をガイドするガイド溝、及びこのガイド溝の上面を覆い、前記開閉方向と直交する方向の開溝幅が前記ガイド溝より小さく設定され、前記ガイドシューの金属支持片が前記開閉方向に沿って移動可能なスリットが形成されたカバー部を有するシルとを備え、
前記ガイドシューは、その金属支持片の下部が、樹脂製のシュー部分内において、このシュー部分が脱落した状態においても、前記スリットから前記シルの外部に抜け出ないカギ状に形成され、
前記シルの両端部は、火災時の熱で溶解した前記シュー部分の樹脂が、この両端部から流れ出ない形状に閉鎖されている
ことを特徴とするエレベータのドア装置。
【請求項２】
前記シルの内容積は、火災時の熱で溶解した前記シュー部分の樹脂を、前記金属支持片の下端部へ接触しない状態で前記シル内に貯留できる容積に設定されていることを特徴とする請求項１に記載のエレベータのドア装置。
【請求項３】
前記シルの底面は、前記開閉方向と直交する幅方向に傾斜しており、火災時の熱で溶解した前記シュー部分の樹脂が傾斜下部に滞留するように構成したことを特徴とする請求項１に記載のエレベータのドア装置。
【発明の詳細な説明】
【技術分野】
【０００１】
本発明の実施形態は、エレベータの出入口を開閉するエレベータのドア装置に関する。
【背景技術】
【０００２】
エレベータの出入口を開閉するドア装置としては、所謂引き戸式のドア装置が広く用いられている。このようなドア装置では、エレベータの出入口を開閉する引き戸として、スライド可能にドアパネルを設置し、このドアパネルの下縁部に設けたガイドシューを、敷居に設けられたシルの案内溝にスライド可能に係合している。案内溝の幅寸法は、ガイドシューの幅寸法より僅かに大きく形成しており、ガイドシューを案内溝の上方から出し入れ可能としている。なお、引き戸としては、エレベータ乗場に設けられた乗り場ドア、乗りかごに設けられたかごドアが該当する。
【０００３】
このようなドア装置では、引き戸となるドアパネルに大きな外力が作用してドアパネルが大きく撓むと、この撓みに伴ってガイドシューが上方へ持ち上げられ、ガイドシューが敷居の案内溝から外れ、開閉が妨げられる場合がある。
【０００４】
このような問題点を解決するため、ガイドシューがスライド可能に係合する案内溝の、長手方向と直交する内部の幅寸法より小さい幅狭部を形成し、ドアパネルが大きく撓んでも、ガイドシューが案内溝から外れないように構成することが考えられた（例えば、特許文献１参照）。
【先行技術文献】
【特許文献】
【０００５】
【特許文献１】特開２００９−２０８９４６号公報
【発明の概要】
【発明が解決しようとする課題】
【０００６】
上記先行技術では、通常時において、エレベータ利用者や搬送中の荷物がドアパネルに衝突するなどしてドアパネルが大きく撓んだ場合であっても、これまでのように撓みに伴ってガイドシューが敷居の案内溝から外れることを有効に防止できた。
【０００７】
しかしながら、ガイドシューのシュー部分は樹脂製であるため、火災時の高熱により溶けてしまうことがある。このようにガイドシューのシュー部分がガイド溝内で溶けてしまうと、ガイドシューは、シュー部分を支持していた金属片のみとなってしまうため、火災時の高熱に伴って発生する高圧力がドアパネルに加わって、ドアパネルが大きく撓んだ場合、ガイドシューが敷居のガイド溝から外れ、ドアパネル自体がエレベータの出入り口部分から脱落してしまう惧れがある。
【０００８】
本発明が解決しようとする課題は、火災時においてもドアパネルを確実に保持可能なエレベータのドア装置を提供することにある。
【課題を解決するための手段】
【０００９】
本発明の実施の形態によれば、エレベータのドア装置は、エレベータの出入口を開閉するため、その開放面に沿ってスライド可能に設けられたドアパネルと、このドアパネルの下辺部から下方に突出する金属支持片の下部に、前記ドアパネルの厚さ方向に沿う寸法が前記金属支持片より大きな樹脂性のシュー部分を一体的に形成したガイドシューと、前記出入口の敷居部分に設けられ、内部に前記ガイドシューのシュー部分がスライド可能に係合し、前記ドアパネルの開閉動作に伴って、その開閉方向に前記シュー部分をガイドするガイド溝、及びこのガイド溝の上面を覆い、前記開閉方向と直交する方向の開溝幅が前記ガイド溝より小さく設定され、前記ガイドシューの金属支持片が前記開閉方向に沿って移動可能なスリットが形成されたカバー部を有するシルとを備え、
前記ガイドシューは、その金属支持片の下部が、樹脂製のシュー部分内において、このシュー部分が脱落した状態においても、前記スリットから前記シルの外部に抜け出ないカギ状に形成され、前記シルの両端部は、火災時の熱で溶解した前記シュー部分の樹脂が、この両端部から流れ出ない形状に閉鎖されていることを特徴とする。
【００１０】
上記構成によれば、火災時の高熱によりガイドシューのシュー部分が溶けても、ガイドシューを敷居部分に確実に保持できるので、ドアパネルの脱落を有効に防止することができる。
【図面の簡単な説明】
【００１１】
【図１】本発明の一実施の形態に係るエレベータのドア装置の外観を示す正面図である。
【図２】本発明の一実施の形態の要部であるガイドシューとシルとの関係を説明する断面図である。
【図３】本発明の一実施の形態におけるガイドシューを説明する図である。
【図４】本発明の一実施の形態におけるガイドシューの金属支持片とシルとの関係を説明する断面図である。
【図５】本発明の一実施の形態におけるシルの外観を示す斜視図である。
【図６】本発明の一実施の形態におけるシルの変形例を示す断面図である。
【発明を実施するための形態】
【００１２】
以下、本発明の実施の形態について、図面を用いて詳細に説明する。
【００１３】
図１は、エレベータの出入り口を、エレベータホール側から見た図である。図1において、エレベータの出入口装置１１は、出入口の縁部を形成する図示しない三方枠の内側に両開き式のドアパネル１２を配置したものである。三方枠の下方の敷居部分には、ドアパネル１２が開閉される方向（図示横方向）に沿って延びるシル１３が取り付けられている。このシル１３は乗り場ホールの床面とほぼ面一に形成されており、その長手方向に沿って、後述するガイド溝が形成されている。ドアパネル１２の下辺部には複数個のガイドシュー１４が固定されており、これらのガイドシュー１４がシル１３のガイド溝内にスライド可能に係合している。ドアパネル１２は、その上部が図示しない複数のハンガーローラ及びレールを介して三方枠の上部に懸架されている。そして、これらのハンガーローラを介して戸開、戸閉の各方向に移動することにより、出入口が開閉される。
【００１４】
すなわち、ドアパネル１２は、エレベータの出入口を開閉すべく、その開放面に沿ってスライド可能に設けられている。このドアパネル１２の下部に設けられたガイドシュー１４は、図２で示すように、ドアパネル１２の下辺部から下方に突出する金属支持片１５の下部に樹脂製のシュー部分１６を一体的に形成したものである。この樹脂製のシュー部分１６は、図示のように、ドアパネル１２の厚さ方向に沿う寸法が、金属支持片１５の同方向の寸法より大きく設定されている。
【００１５】
また、シル１３は、前述したように、エレベータの出入口の敷居部分に設けられ、長手方向に沿って形成された、図２で示すガイド溝１８とそのカバー部１９とを有する。図２はシル１３の横断面図であり、ガイド溝１８は、図示のようにガイドシュー１４のシュー部分１６を収容し、このシュー部分１６とスライド可能に係合している。そして、ドアパネル１２の開閉動作に伴って、その開閉方向にシュー部分１６をガイドする。カバー部１９は、ガイド溝１８の上面を覆い、かつ、ガイドシュー１４の金属支持片１５が上下に貫通するスリット２０を有する。このスリット２０は、前記開閉方向と直交する方向（図２の横方向）の開溝幅が、ガイド溝１８の同方向の幅より小さく設定されている。したがって、ガイドシュー１４は、そのシュー部分１６がシル１３のガイド溝１８内に収容された状態で、その上面がカバー部１９により覆われるため、ドアパネル１２が大きな外力を受け撓んでも、ガイドシュー１４がシル１３から外れることはない。
【００１６】
なお、カバー部１９には、ドアパネル１２の取り付け時に、ガイドシュー１４のシュー部分１６を、上方からシル１３のガイド溝１８内に落し込むために、図５で示すように、スリット２０の開溝幅を広げた幅広部２０ａを形成しておく。
【００１７】
ガイドシュー１４は、前述したように、ドアパネル１２の下辺部から下方に突出する金属支持片１５の下部に樹脂製のシュー部分１６を一体的に形成したものであるが、その金属支持片１５の下端部は、樹脂製のシュー部分１６内において、図３で示すように、カギ状に形成されている。すなわち、金属支持片１５の下部を、例えば、図示のようにＶ字状に折曲して、カギ状に形成している。このようにカギ状に形成したのは、樹脂製のシュー部分１５が火災時の熱により溶け、金属支持片１５から脱落した状態においても、この金属支持片１５がスリット２０から外部に抜け出ないようにして、ガイドシュー１４とシル１３との係合状態を維持するためである。
【００１８】
上記構成において、建物に火災が発生した場合、その熱によりガイドシュウの１４のシュー部分１６が溶け、金属支持片１５から脱落してしまうことがある。また、火災時にはドアパネル１２に対して爆風状の圧力がかかり、ドアパネル１２が大きく撓むことがある。このような状況が、前述のシュー部分１６が脱落した状態で生じると、ガイドシュー１４がシル１３から外れ、ドアパネル１２が火災に伴う爆風により吹き飛ばされることが考えられる。
【００１９】
しかしながら、この実施の形態でのガイドシュー１４は、その金属支持片１５の下部がカギ状に形成されているため、樹脂製のシュー部分１６が熱により溶けて金属支持片１５から脱落しても、スリット部２０から外部に抜け出ることはない。すなわち、カギ状に形成された部分が、図４で示すように、シル１３のカバー部１９に係合するので、シル１３からガイドシュート１４が外れることはなく、係合状態を確実に保持することができる。
【００２０】
このため、火災の熱によりガイドシュウの１４のシュー部分１６が溶け、また、爆風状の圧力によりドアパネル１２が大きく撓むような状況下においても、ガイドシュー１４がシル１３から外れることはなく、ドアパネル１２が爆風により吹き飛ばされることを有効に防止することができる。
【００２１】
ここで、シル１３の形状は溝状であるが、その両端部は図５で示すように閉鎖体２２で閉鎖した閉鎖構造とする。すなわち、シル１３の両端部を開放したままにしておくと、内部に収容されているシュー部分１６の樹脂が火災時の熱で溶けた場合、この溶けた高温の樹脂がシル１３の両端部から外部に流れ出てしまう。このように、高温の樹脂がシル１３の両端部から外部に流れ出ると、これが昇降路内を通って階下に達し、階下を延焼させてしまうおそれがある。このようなことがないように、シル１３の両端部を閉じた形状とすることにより、溶けた樹脂の流出を防止し、火災の拡大を防止することができる。
【００２２】
また、シル１３の内容積は、火災時の熱で溶解したシュー部分１６の樹脂が、シル１３内において、金属支持片１５の下端部へ接触しない状態で貯留できる、充分に大きな容積に設定する。これは、溶けた樹脂が金属支持片１５と接触して凝固することを防ぐためである。すなわち、火災時の熱で溶解したシュー部分１６の樹脂は、シル１３内に滞留し、火災が鎮火した後、冷却されてシル１３内部で凝固する。このとき、この溶けた樹脂と金属支持片１５とが接触した状態であった場合、この金属支持片１５は凝固した樹脂によりシル１３内に固定されてしまい、ドアパネル１２を開閉することができなくなってしまい、火災後の後処理に支障をきたしてしまう。
【００２３】
このようなことを防止するため、上述のように、シル１３の内容積は大きく設定し、火災時の熱で溶けたシュー部分１６の樹脂が、シル１３内において金属支持片１５の下端部へ接触しないようにする。このようにすれば、火災が収まって溶けた樹脂が凝固しても、ガイドシュー１４の金属支持片１５は凝固した樹脂とは離れた状態を維持するので、火災直後にドアパネル１２が開閉できなくなることはなく、後処理などに支障をきたすことはない。
【００２４】
なお、シル１３の底面は、図６で示すように、開閉方向と直交する幅方向に傾斜させてもよい。このように形成すると、火災時の熱で溶けたシュー部分１６の樹脂１６ａは傾斜下部にまとまって滞留する。このため、シル１３の横断面積をあまり大きく設定しなくても、溶けた樹脂と金属支持片１５の下端部との距離を保つことができ、これら両者が接触し難くなる。このため、シル１３の大形化を防止でき、かつ、上述した樹脂凝固時に金属支持片１５が固着される問題が生じることもない。
【００２５】
金属支持片１５の、シュー部分１６内における鍵形状として、図３ではＶ字状に折曲したものを例示したが、鍵形状はこれに限るものではなく、金属支持片１５の下部をＴ字状やＬ字状に形成したもの、或いは円形状に形成したものなど、スリット２０から抜け出ることを防止できる形状であればなんでもよい。
【００２６】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００２７】
１２・・・ドアパネル
１３・・・シル
１４・・・ガイドシュー
１５・・・金属支持片
１６・・・樹脂製のシュー部分
１８・・・ガイド溝
１９・・・カバー部
２０・・・スリット
２２…閉鎖体
【図１】
0005645310.tif 000002
【図２】
0005645310.tif 000003
【図３】
0005645310.tif 000004
【図４】
0005645310.tif 000005
【図５】
0005645310.tif 000006
【図６】
0005645310.tif 000007